(57)【特許請求の範囲】
【請求項１】
鋳物製品（Ｗ）の外周に突出するバリ（Ｂ1 ，Ｂ2 ）を下型刃（１１）と上型刃（２４）との間に上下に挟持した状態で鋳物製品（Ｗ）より切断、分離するためのバリ切断装置であって、
床面に固定された下型ベースプレート（１）と、
下型ベースプレート（１）に対して昇降駆動される上型ベースプレート（１２）と、
鋳物製品（Ｗ）の下面を支持すべく、下型ベースプレート（１）に昇降自在に設けられて上向きに弾発付勢された製品支持部材（４，５，６）と、
鋳物製品（Ｗ）の上面を下方に押圧すべく、上型ベースプレート（１２）に固定された製品押圧部材（１７，１８，１９）とを備えてなり、
前記下型刃（１１）は、前記製品支持部材（４，５，６）により下面が支持されている鋳物製品（Ｗ）の前記バリ（Ｂ1 ，Ｂ2 ）の下面を支持すべく下型ベースプレート（１）に固定され、
前記上型刃（２４）は、鋳物製品（Ｗ）の前記バリ（Ｂ1 ，Ｂ2 ）の上面を押圧して前記下型刃（１１）との間に挟持すべく、上型ベースプレート（１２）に昇降自在に支持されて下向きに弾発付勢されており、
上型ベースプレート（１２）を上昇させ、且つ鋳物製品（Ｗ）の下面を前記製品支持部材（４，５，６）の上面に支持すると共に前記バリ（Ｂ1 ，Ｂ2 ）の下面を前記下型刃（１１）上に支持した状態から、該上型ベースプレート（１２）を下降させると、該バリ（Ｂ1 ，Ｂ2 ）を下型刃（１１）と上型刃（２４）との間に挟持した状態で、前記製品押圧部材（１７，１８，１９）及び製品支持部材（４，５，６）の下降により鋳物製品（Ｗ）が下降することで、該バリ（Ｂ1 ，Ｂ2 ）を鋳物製品（Ｗ）から切断できるようにしたことを特徴とする、鋳物製品のバリ切断装置。
【発明の詳細な説明】
【０００１】
【発明の属する技術分野】
本発明は鋳物製品の外周に突出するバリを切断する鋳物製品のバリ切断装置に関する。
【従来の技術】
従来のバリ切断装置は、トリミングプレス機の固定の下型ベースプレートに製品支持部材を設けるとともに、可動の上型ベースプレートに製品押圧部材と切断刃とを設けたもので、製品押圧部材は上型ベースプレートに摺動自在に支持されて下型ベースプレートに向けてスプリングで弾発付勢されている。従って、下型ベースプレートの製品支持部材上に鋳物製品を支持した状態で上型ベースプレートを下降させると、先ず上型ベースプレートに設けた製品押圧部材が鋳物製品の上面に当接し、スプリングの弾発力で製品支持部材及び製品押圧部材間に鋳物製品を挟持する。スプリングを圧縮しながら上型ベースプレートが更に下降すると、上型ベースプレートに設けた切断刃が鋳物製品のバリに上方から当接して切断する。
【０００２】
【発明が解決しようとする課題】
しかしながら上記従来のものは、特に鋳物製品が完全に冷えていないためにバリが柔らかいような場合に、切断刃に押されたバリが下方に折れ曲がるだけで切断されないことがあり、このような場合には作業員が別工程において手作業でバリを切断していた。
【０００３】
本発明は前述の事情に鑑みてなされたもので、鋳物製品の外周に突出するバリを確実に切断することを目的とする。
【０００４】
【課題を解決するための手段】
請求項１に記載された発明では、鋳物製品の外周に突出するバリを下型刃と上型刃との間に上下に挟持した状態で鋳物製品より切断、分離するためのバリ切断装置であって、床面に固定された下型ベースプレートと、下型ベースプレートに対して昇降駆動される上型ベースプレートと、鋳物製品の下面を支持すべく、下型ベースプレートに昇降自在に設けられて上向きに弾発付勢された製品支持部材と、鋳物製品の上面を下方に押圧すべく、上型ベースプレートに固定された製品押圧部材とを備えてなり、前記下型刃は、前記製品支持部材により下面が支持されている鋳物製品の前記バリの下面を支持すべく下型ベースプレートに固定され、前記上型刃は、鋳物製品の前記バリの上面を押圧して前記下型刃との間に挟持すべく、上型ベースプレートに昇降自在に支持されて下向きに弾発付勢されており、上型ベースプレートを上昇させ、且つ鋳物製品の下面を前記製品支持部材の上面に支持すると共に前記バリの下面を前記下型刃上に支持した状態から、該上型ベースプレートを下降させると、該バリを下型刃と上型刃との間に挟持した状態で、前記製品押圧部材及び製品支持部材の下降により鋳物製品が下降することで、該バリを鋳物製品から切断できるようにしたことを特徴とする。
【０００５】
上記特徴によれば、下型ベースプレートに設けた製品支持部材及び下型刃にそれぞれ鋳物製品の下面及びバリの下面を支持した状態で、上型ベースプレートを下型ベースプレートに向けて下降させると、上型ベースプレートに設けた製品押圧部材と製品支持部材との間に鋳物製品が挟持されるとともに、上型ベースプレートに設けた上型刃と下型刃との間にバリが挟持される。この状態より、上型ベースプレートを下型ベースプレートに向けて更に下降させると、上型刃及び下型刃はバリと共にその位置に停止するのに対して、製品押圧部材及び製品支持部材は鋳物製品と共に更に下降するため、バリが強制的に切断されて鋳物製品から分離する。
【０００６】
尚、本発明におけるバリとは、鋳物製品の外周に連なる湯口部やオーバーフロー部に限定されず、鋳物製品の成形時に成形型の割り面から漏れた溶湯が凝固したバリを含むものとする。
【０００７】
【発明の実施の形態】
以下、本発明の実施の形態を、添付図面に示した本発明の実施例に基づいて説明する。
図１〜図４は本発明の一実施例を示すもので、図１はバリ切断装置の縦断面図（図２の１−１線断面図）、図２は図１の２−２線断面図、図３は鋳物製品のクランプ時の作用説明図、図４はバリ切断時の作用説明図である。
【０００８】
図１及び図２は、例えば自動車用エアコンのコンプレッサの取付ブラケットのような鋳物製品Ｗのバリを切断する装置を示すものである。バリ切断装置は床面に固定された下型ベースプレート１を備えており、この下型ベースプレート１の上面に支持部材２を介して下型支持プレート３が固定される。下型支持プレート３を摺動自在に貫通する３本の製品支持部材４，５，６の下端は、共通の昇降部材７に固定される。下型ベースプレート１にボルト８でガイドピン９が固定されており、このガイドピン９に昇降自在に支持された前記昇降部材７はスプリング１０によって上向きに付勢される。製品支持部材４，５，６に下向きの荷重が作用しないとき、スプリング１０の弾発力で上向きに付勢された昇降部材７の下部に隙間αが形成されており、この隙間αの分だけ昇降部材７は下方に移動可能である。下型支持プレート３の上面に、一端が開放した概略コ字状の下型刃１１が固定される。
【０００９】
下型ベースプレート１に対向する上型ベースプレート１２は、図示せぬ駆動源に接続されて下型ベースプレート１に対して昇降駆動される。下型ベースプレート１に立設した下型ガイドピン１３に上型ベースプレート１２に垂設した上型ガイドポスト１４が摺動自在に嵌合することにより、下型ベースプレート１に対して上型ベースプレート１２が位置決めされる。
【００１０】
上型ベースプレート１２の下面に支持部材１５を介して上型支持プレート１６が固定されており、この上型支持プレート１６の下面に３本の製品押圧部材１７，１８，１９が固定される。製品押圧部材１７，１８，１９に摺動自在に嵌合する摺動プレート２０にボルト２１でガイドピン２２が固定されており、このガイドピン２２は上型支持プレート１６に摺動自在に支持される。ガイドピン２２の外周に配置したスプリング２３により、摺動プレート２０が下向きに付勢される。従って、摺動プレート２０はボルト２１の上端の隙間βの分だけ上方に移動可能である。摺動プレート２０の下面に前記下型刃１１と上下対称形状の上型刃２４が固定される。下型刃１１及び上型刃２４を相対向する位置に位置決めすべく、下型支持プレート３に設けた下型刃ガイドピン２５が摺動プレート２０に設けた上型刃ガイドポスト２６に摺動自在に嵌合する。
【００１１】
鋳物製品Ｗの外周には切断された湯口部Ｂ1 …の一部やオーバーフロー部Ｂ2 …の一部がバリとして突出しており、これら湯口部Ｂ1 …やオーバーフロー部Ｂ2 …以外にも、鋳物製品Ｗの成形時に成形型の割り面から漏れた溶湯が凝固したバリ（図示せず）が突出している。
【００１２】
次に、前述の構成を備えた本発明の実施例の作用について説明する。
【００１３】
上型ベースプレート１２を上昇させた図１及び図２の状態で、鋳物製品Ｗの下面を製品支持部材４，５，６の上面に支持するとともに、鋳物製品Ｗから外側に突出する湯口部Ｂ1 …やオーバーフロー部Ｂ2 …の下面を下型刃１１上に支持する。この状態から下型ガイドピン１３を上型ガイドポスト１４に案内させながら上型ベースプレート１２を下降させると、先ず上型刃２４が湯口部Ｂ1 …及びオーバーフロー部Ｂ2 …の上面に当接し、上型刃２４及び下型刃１１間に湯口部Ｂ1 …及びオーバーフロー部Ｂ2 …が挟持される。
【００１４】
更に上型ベースプレート１２を下降させると、スプリング２３を圧縮しながら上型刃２４は湯口部Ｂ1 …及びオーバーフロー部Ｂ2 …に当接する位置に停止するが、製品押圧部材１７，１８，１９は更に下降して鋳物製品Ｗの上面に当接して図３に示す状態となる。この状態から上型ベースプレート１２を更に下降させると、下型刃１１及び上型刃２４を図３の位置に止めたまま製品押圧部材１７，１８，１９が上型ベースプレート１２と共に下降する。このとき、鋳物製品Ｗの下面を支持する製品支持部材４，５，６はスプリング１０を圧縮しながら下型ベースプレート１に対して下降可能であるため、製品押圧部材１７，１８，１９及び製品支持部材４，５，６に上下面を挟持された鋳物製品Ｗは下型ベースプレート１に対して下降する。一方、下型刃１１及び上型刃２４間に挟持された湯口部Ｂ1 …及びオーバーフロー部Ｂ2 …は下型ベースプレート１に対して固定されているため、図４に示すように湯口部Ｂ1 …及びオーバーフロー部Ｂ2 …は鋳物製品Ｗから切断される。
【００１５】
このように湯口部Ｂ1 …及びオーバーフロー部Ｂ2 …を下型刃１１及び上型刃２４間にクランプして切断するので、鋳物製品Ｗの温度が高いために湯口部Ｂ1 …及びオーバーフロー部Ｂ2 …が柔らかい状態であっても、それら湯口部Ｂ1 …及びオーバーフロー部Ｂ2 …が折れ曲がった状態で鋳物製品Ｗに残留してしまう不具合が確実に回避される。
【００１６】
以上、本発明の実施例を詳述したが、本発明はその要旨を逸脱しない範囲で種々の設計変更を行うことが可能である。
【００１７】
例えば、実施例では鋳物製品Ｗとして自動車用エアコンのコンプレッサの取付ブラケットを例示したが、本発明は他の任意の鋳物製品Ｗに対して適用することが可能である。
【００１８】
【発明の効果】
以上のように、請求項１に記載された発明によれば、鋳物製品の外周に突出するバリを下型刃と上型刃との間に上下に挟持した状態で、更に下降する製品押圧部材により鋳物製品の上面を押圧して鋳物製品を下降させることで、そのバリを鋳物製品より切断、分離できるようにしたので、鋳物製品の温度が高いために上記バリが柔らかい状態であっても、そのバリを鋳物製品から確実に切断することができ、従って、該バリが折れ曲がった状態で鋳物製品に残留してしまう不具合が確実に回避される。
【図面の簡単な説明】
【図１】  バリ切断装置の縦断面図（図２の１−１線断面図）
【図２】  図１の２−２線断面図
【図３】  鋳物製品のクランプ時の作用説明図
【図４】  バリ切断時の作用説明図
【符号の説明】
Ｂ1         湯口部（バリ）
Ｂ2         オーバーフロー部（バリ）
Ｗ          鋳物製品
１          下型ベースプレート
４，５，６        製品支持部材
１１        下型刃
１２        上型ベースプレート
１７，１８，１９    製品押圧部材
２４        上型刃
【図１】
0003669658.tif 000002
【図２】
0003669658.tif 000003
【図３】
0003669658.tif 000004
【図４】
0003669658.tif 000005